(57)【要約】【目的】  手摺りの取り外しが比較的困難な着脱自在手摺りとする。【構成】  ２つの固定側手摺り100 と、固定側手摺り100 の間に連結される取外側手摺り200 と、両手摺り100,200 の間に設けられ、取外側手摺り200 を着脱可能に固定側手摺り100 に連結する着脱機構300 とを備え、着脱機構300 は、固定側手摺り100 の端部に取り付けられる固定側着脱部310 と、取外側手摺り200 の端部に取り付けられる取外側着脱部320 とを有し、固定側着脱部310 は、固定側本体311 と、固定側本体311 の貫通孔316 内にスライド可能に収納されるラッチ部材312 と、ラッチ部材312 を外側方向に突出させる弾性体313 と、ラッチ部材312 を弾性体313 に抗して固定側本体311 内で後退させるロック部材314 とを有し、取外側着脱部320 は、突出したラッチ部材312 が入り込む凹部322 がある取外側本体321 を有し、ロック部材314 の回転でラッチ部材312 を後退させる。【選択図】      図１
2008255693.tif 000002
【特許請求の範囲】
【請求項１】
壁面等に固定された２つの固定側手摺りと、この固定側手摺りの間に連結される取外側手摺りと、両手摺りの間に設けられ、取外側手摺りを着脱可能に固定側手摺りに連結する着脱機構とを具備しており、前記着脱機構は、固定側手摺りの端部に取り付けられる固定側着脱部と、取外側手摺りの端部に取り付けられる取外側着脱部とを有しており、前記固定側着脱部は、固定側本体と、この固定側本体の内部に設けられた貫通孔内にスライド可能に収納されるラッチ部材と、このラッチ部材を外側方向に突出させる弾性体と、前記ラッチ部材を弾性体の力に逆らって固定側本体の内部に向かって後退させるロック部材とを有しており、前記取外側着脱部は、前記弾性体によって外側方向に突出させられたラッチ部材が入り込む凹部が形成された取外側本体を有している着脱自在手摺りにおいて、前記ロック部材は回転させることによって、前記ラッチ部材を後退させることを特徴とする着脱自在手摺り。
【請求項２】
前記ロック部材は、回転させるための操作部が固定側本体の下面に露出していることを特徴とする請求項１記載の着脱自在手摺り。
【発明の詳細な説明】
【技術分野】
【０００１】
本発明は、開口部がある壁面に設置され、開口部の開閉の際に邪魔にならない着脱自在手摺りに関する。
【背景技術】
【０００２】
高齢者や身体障害者等の介護施設には、壁面に自助用又は介護用の手摺りが取り付けられている。かかる手摺りは、水平方向に連続して設置されることが必要となる。
このため、開口部、例えば、ドアや点検用の開口部がある部分にも手摺りが連続して取り付けれらることになる。
【０００３】
しかし、開口部を横断する形で手摺りが取り付けられると、開口部の開閉の邪魔になるので、そのような箇所には、跳ね上げ式の手摺りが設置されている。かかる跳ね上げ式のものとしては、特開２００３−２６２０２６号公報（特許文献１）、特開２００５−１１３５８０号公報（特許文献２）、特開２００７−０２３７３６号公報（特許文献３）に記載されたものがある。
【０００４】
しかし、この跳ね上げ式の手摺りは、跳ね上げられる手摺りが短いもの、すなわち開口部が通常のドア等の幅の狭いものである場合には十分対応可能であるが、長いもの、すなわち開口部が大きいものである場合には対応できないという問題点があった。
跳ね上げられた手摺りが長いと確保が困難、跳ね上げられた手摺りの先端が天井等に接触して跳ね上げられない等の問題があった。
【０００５】
かかる問題を解消するために、特開２００４−１１６１４５号公報（特許文献４）に記載されたような着脱式の手摺りが提案されている。
【０００６】
【特許文献１】特開２００３−２６２０２６号公報
【特許文献２】特開２００５−１１３５８０号公報
【特許文献３】特開２００７−０２３７３６号公報
【特許文献４】特開２００４−１１６１４５号公報
【発明の開示】
【発明が解決しようとする課題】
【０００７】
しかしながら、特許文献４に記載された出入り口横断用の着脱自在手摺りにも以下のような問題点がある。
特許文献４に記載された出入り口横断用の着脱自在手摺りは、その手摺りの取り外しはは、ロックピンをスライドさせることで行い、しかもそのロックピンは最も目につきやすい横側に露出している。
かかる手摺りが設置されるのは、高齢者や身体障害者等の介護施設が多い。かかる介護施設には、思いもかけない行動をとるいわゆる認知症患者もいる。このように取り外しが簡単な出入り口横断用の着脱自在手摺りは、安全性の観点からも介護施設に適していないものであることはいうまでもない。
しかし、単に取り外しが難しいものであればよいというものでもない。
【０００８】
本発明は、上記事情に鑑みて創案されたもので、手摺りの取り外しが比較的行いにくく、かつ目につきにくい箇所に設けられた着脱自在手摺りを提供することを目的としている。
【課題を解決するための手段】
【０００９】
本発明に係る着脱自在手摺りは、壁面等に固定された２つの固定側手摺りと、この固定側手摺りの間に連結される取外側手摺りと、両手摺りの間に設けられ、取外側手摺りを着脱可能に固定側手摺りに連結する着脱機構とを備えており、前記着脱機構は、固定側手摺りの端部に取り付けられる固定側着脱部と、取外側手摺りの端部に取り付けられる取外側着脱部とを有しており、前記固定側着脱部は、固定側本体と、この固定側本体の内部に設けられた貫通孔内にスライド可能に収納されるラッチ部材と、このラッチ部材を外側方向に突出させる弾性体と、前記ラッチ部材を弾性体の力に逆らって固定側本体の内部に向かって後退させるロック部材とを有しており、前記取外側着脱部は、前記弾性体によって外側方向に突出させられたラッチ部材が入り込む凹部が形成された取外側本体を有している着脱自在手摺りであって、前記ロック部材は回転させることによって、前記ラッチ部材を後退させるようになっている。
【００１０】
また、前記ロック部材は、回転させるための操作部が固定側本体の下面に露出している。
【発明の効果】
【００１１】
本発明に係る着脱自在手摺りは、取外側手摺りを取り外す際には、ロック部材を回転させることによって行うので、従来のようなスライドより困難になっている。しかし困難すぎない。このため、健常者にとっては取り外しが比較的簡単であるが、高齢者等にとっては取り外しが困難という介護施設等にとっては最適なものとなっている。
【００１２】
また、ロック部材の操作部は固定側本体の下面に露出しているため、高齢者等にとっては取り外しが一層困難になっているため、介護施設等にとってはより最適なものとなっている。
【発明を実施するための最良の形態】
【００１３】
図１は本発明の実施の形態に係る着脱自在手摺りの要部の概略的断面図、図２は本発明の実施の形態に係る着脱自在手摺りの要部の概略的断面図、図３は本発明の実施の形態に係る着脱自在手摺りを構成する固定側着脱部の固定側本体の概略的斜視図、図４は本発明の実施の形態に係る着脱自在手摺りを構成する取外側着脱部の取外側本体の概略的斜視図である。
【００１４】
また、図５は本発明の実施の形態に係る着脱自在手摺りを構成する固定側着脱部の固定側本体の図面であって、同図（Ａ）は概略的側面図、同図（Ｂ）は概略的左側面図、同図（Ｃ）は概略的右側面図、同図（Ｄ）は概略的平面図、同図（Ｅ）は概略的底面図、同図（Ｆ）は概略的断面図、図６は本発明の実施の形態に係る着脱自在手摺りを構成する固定側着脱部のラッチ部材の図面であって、同図（Ａ）は概略的側面図、同図（Ｂ）は概略的左側面図、同図（Ｃ）は概略的右側面図、同図（Ｄ）は概略的平面図、同図（Ｅ）は概略的底面図、同図（Ｆ）は概略的断面図、図７は本発明の実施の形態に係る着脱自在手摺りを構成する固定側着脱部のラッチ部材の図面であって、同図（Ａ）は概略的上面側斜視図、同図（Ｂ）は概略的下面側斜視部である。
【００１５】
また、図８は本発明の実施の形態に係る着脱自在手摺りを構成する固定側着脱部のロック部材の図面であって、同図（Ａ）は概略的正面図、同図（Ｂ）は概略的平面図、同図（Ｃ）は概略的底面図、図９は本発明の実施の形態に係る着脱自在手摺りを構成する固定側着脱部のロック部材の図面であって、同図（Ａ）は概略的上面側斜視図、同図（Ｂ）は概略的下面側斜視部である。
【００１６】
また、図１０は本発明の実施の形態に係る着脱自在手摺りを構成する固定側着脱部のカバーの図面であって、同図（Ａ）は概略的正面図、同図（Ｂ）は概略的左側面図、同図（Ｃ）は概略的右側面図、同図（Ｄ）は概略的平面図、同図（Ｅ）は概略的断面図、同図（Ｆ）は概略的斜視図、図１１は本発明の実施の形態に係る着脱自在手摺りを構成する取外側着脱部の取外側本体の図面であって、同図（Ａ）は概略的側面図、同図（Ｂ）は概略的左側面図、同図（Ｃ）は概略的右側面図、同図（Ｄ）は概略的平面図、同図（Ｅ）は概略的底面図、同図（Ｆ）は概略的断面図である。
【００１７】
さらに、図１２は本発明の実施の形態に係る着脱自在手摺りの図面であって、取外側手摺りが固定側手摺りに取り付けられている状態の概略的斜視図、図１３は本発明の実施の形態に係る着脱自在手摺りの図面であって、取外側手摺りが固定側手摺りから取り外された状態の概略的斜視図である。
【００１８】
本発明の実施の形態に係る着脱自在手摺りは、壁面等に固定された２つの固定側手摺り１００と、この固定側手摺り１００の間に連結される取外側手摺り２００と、両手摺り１００、２００の間に設けられ、取外側手摺り２００を着脱可能に固定側手摺り１００に連結する着脱機構３００とを備えており、前記着脱機構３００は、固定側手摺り１００の端部に取り付けられる固定側着脱部３１０と、取外側手摺り２００の端部に取り付けられる取外側着脱部３２０とを有しており、前記固定側着脱部３１０は、固定側本体３１１と、この固定側本体３１１の内部に設けられた貫通孔３１６内にスライド可能に収納されるラッチ部材３１２と、このラッチ部材３１２を外側方向に突出させる弾性体３１３と、前記ラッチ部材３１２を弾性体３１３の力に逆らって固定側本体３１１の内部に向かって後退させるロック部材３１４とを有しており、前記取外側着脱部３２０は、前記弾性体３１３によって外側方向に突出させられたラッチ部材３１２が入り込む凹部３２２が形成された取外側本体３２１を有している着脱自在手摺りであって、前記ロック部材３１４は回転させることによって、前記ラッチ部材３１２を後退させるようになっている。
【００１９】
まず、固定側手摺り１００は、木、金属或いは合成樹脂で形成された棒体であって、図示しない適宜なブラケットによって壁面に固定的に取り付けられている。かかる固定側手摺り１００は、断面略逆三角形状に形成されている。この固定側手摺り１００は、壁面等に設けられた開口部の部分には、開口部の開閉や開いた開口部への出入りのためのスペースを確保するため、設けられていない。
【００２０】
そして、開口部の両側では、２つの固定側手摺り１００が端部同士を向かい合わせるように設置されることになる。
【００２１】
一方、取外側手摺り２００は、固定側手摺り１００と同様に、木、金属或いは合成樹脂で形成された棒体であって、断面略逆三角形状に形成されている。かかる取外側手摺り２００の長さは、２つの固定側手摺り１００の間の距離より若干短く設定されている。具体的には、後述する着脱機構３００相当分のみ短く設定されていることになる。
なお、取外側手摺り２００は、ブラケット等によって壁面等には固定されていないことはいうまでもない。
【００２２】
前記着脱機構３００は、前記取外側手摺り２００を着脱可能に固定側手摺り１００に連結するものであって、固定側手摺り１００の端部に取り付けられる固定側着脱部３１０と、取外側手摺り２００の端部に取り付けられる取外側着脱部３２０とから構成されている。
【００２３】
まず、固定側着脱部３１０は、固定側本体３１１と、この固定側本体３１１の内部に設けられた貫通孔３１６内にスライド可能に収納されるラッチ部材３１２と、このラッチ部材３１２を外側方向に突出させる弾性体３１３と、前記ラッチ部材３１２を弾性体３１３の力に逆らって固定側本体３１１の内部に向かって後退させるロック部材３１４とを有している。
【００２４】
前記固定側本体３１１は、図３や図５等に示すように、両手摺り１００、２００と同様に、略逆三角形状になった固定側基体部３１１Ａを有している。この固定側基体部３１１Ａの下端からは、固定側手摺り１００を受ける第１の手摺り支持部３１７と、取外側手摺り２００（正確には取外側着脱部３２０の取外側本体３２１）を受ける第２の手摺り支持部３１８が突出形成されている。
【００２５】
固定側基体部３１１Ａには、固定側手摺り１００に沿った方向に貫通孔３１６が開設されている。この貫通孔３１６は、カバー３１５で閉塞されるようになっている。かかる貫通孔３１６は、取外側手摺り２００に向かい合う側においては、ラッチ部材３１２が抜け落ちないようにするため、ラッチ部材３１２の先端の楔状のラッチ本体部３１２Ａに相当する大きさの開口３１９が開設されている。
【００２６】
また、この固定側基体部３１１Ａの底面には、前記貫通孔３１６に連なる円形の操作部用開口３１９Ａが開設されている。この操作部用開口３１９Ａは、ラッチ部材３１２を後退させるためのロック部材３１４の操作部３１４Ｂが臨む部分である。この操作部用開口３１９Ａは、固定側基体部３１１Ａの底面に開設されているので、ロック部材３１４の操作部３１４Ｂは、固定側本体３１１の下面に露出することになる。
【００２７】
このように構成された固定側基体部３１１Ａの下端から突出された略浅樋状の第１の手摺り支持部３１７は、固定側手摺り１００を支持する部分であって、中央に固定側手摺り１００の位置決めのための凸脈３１７Ａが突設されている（図３参照）。また、この凸脈３１７Ａの両側には、固定側着脱部３１０を固定側手摺り１００に取り付けるビスのためのビス孔３１７Ｂが開設されている。
【００２８】
さらに、固定側基体部３１１Ａの下端から突出された略浅樋状の第２の手摺り支持部３１８は、取外側手摺り２００を支持する部分である。
【００２９】
前記ラッチ部材３１２は、図６及び図７等に示すように、先端側が斜めに切断され、側面視楔状になった円筒形状のラッチ本体部３１２Ａと、このラッチ本体部３１２Ａの基端側から両横方向に突出された略羽根状の横側案内突起３１２Ｂと、前記ラッチ本体部３１２Ａの上面に突出された上側案内突起３１２Ｃと、前記横側案内突起３１２Ｂの下方に設けられた略Ｍ字形状のカム部３１２Ｄとを有している。
【００３０】
前記ラッチ本体部３１２Ａは、基端側に向かって開放された穴部３１２Ｅが設けられている。この穴部３１２Ｅには、後述する弾性体３１３が入り込むようになっている。
【００３１】
また、前記横側案内突起３１２Ｂは、固定側基体部３１１Ａの貫通孔３１６の両横方向に設けられた横側案内溝３１６Ａと対応しており、ラッチ部材３１２の進退を案内するものである。
また、前記上側案内突起３１２Ｃは、固定側基体部３１１Ａの貫通孔３１６の両横方向に設けられた上側案内溝３１６Ｂと対応しており、ラッチ部材３１２の進退を案内するものである。
【００３２】
一方、前記カム部３１２Ｄは、後述するロック部材３１４のカム突起３１４Ｄとかみ合ってラッチ部材３１２を進退させる部分である。
【００３３】
前記ロック部材３１４は、図８及び図９等に示すように、円盤部３１４Ａと、この円盤部３１４Ａから垂下された略円筒形状で二股状の操作部３１４Ｂとが一体に形成されたものである。前記円盤部３１４Ａの上面には中心から外れた部分にカム突起３１４Ｄが突出されている。また、前記操作部３１４Ｂは、円盤部３１４Ａより小径で、かつ前記固定側基体部３１１Ａの底面の操作部用開口３１９Ａに嵌まり込む部分であって、ロック部材３１４を操作する際にコイン等を差し込む差込溝３１４Ｃが形成されている。
【００３４】
このロック部材３１４は、操作部３１４Ｂが前記操作部用開口３１９Ａに嵌まり込むように、固定側基体部３１１Ａの貫通孔３１６からセットされる。
【００３５】
前記カム突起３１４Ｄは、前記カム部３１２Ｄと対応する部分である。
【００３６】
前記固定側基体部３１１Ａの貫通孔３１６を閉塞するカバー３１５は、図１０に示すように、貫通孔３１６の形状に対応した略凸字形状の閉塞部３１５Ａと、この閉塞部３１５Ａから突出された２本のアーム部３１５Ｂとを有している。また、前記閉塞部３１５Ａの略中央には、弾性体３１３を保持するための座部３１５Ｃが形成されている。この座部３１５Ｃは、弾性体３１３の端部が嵌まり込む円形の溝部３１５Ｄと、この溝部３１５Ｄの中央から突出し、嵌まり込んだ弾性体３１３に若干入り込む凸部３１５Ｅとを有している。
【００３７】
次に、このような部材からなる固定側着脱部３１０の組み込みについて説明する。
まず、固定側本体３１１の貫通孔３１６にロック部材３１４を組み込む。
すなわち、ロック部材３１４の操作部３１４Ｂが操作部用開口３１９Ａに嵌まり込むようにセットするのである。
【００３８】
次に前記貫通孔３１６にラッチ部材３１２をセットする。
ラッチ部材３１２のラッチ本体部３１２Ａが貫通孔３１６と貫通した開口３１９から突出するように、ラッチ本体部３１２Ａを先側になるようにセットする。
なお、ラッチ部材３１２の横側案内突起３１２Ｂは、固定側基体部３１１Ａの貫通孔３１６の両横方向に設けられた横側案内溝３１６Ａと、上側案内突起３１２Ｃは、固定側基体部３１１Ａの貫通孔３１６の両横方向に設けられた上側案内溝３１６Ｂと対応するようになる。
【００３９】
この際、ロック部材３１４のカム突起３１４Ｄは、ラッチ部材３１２の略Ｍ字形状のカム部３１２Ｄと対応する。
【００４０】
次に、ラッチ部材３１２の穴部３１２Ｅに弾性体３１３をセットし、この弾性体３１３を押し縮めるようにしてカバー３１５で貫通孔３１６を閉塞する。
カバー３１５を固定側本体３１１に取り付けると、弾性体３１３の端部は、カバー３１５の座部３１５Ｃに嵌まり込むとともに、ラッチ部材３１２を開口３１９側に押圧する。
【００４１】
このように構成された固定側着脱部３１０は、ロック部材３１４に力を与えない状態、すなわち自由状態におくと、図１に示すように、弾性体３１３の弾性力によって、ラッチ部材３１２のラッチ本体部３１２Ａが開口３１９から突出した状態になる。
【００４２】
この状態から、ロック部材３１４の操作部３１４Ｂの差込溝３１４Ｃにコイン等を嵌め込んで回転させると、ロック部材３１４のカム突起３１４Ｄとラッチ部材のカム部とによって、ラッチ部材３１２は弾性体３１３を押し縮めながら後退し、図２に示すように、ラッチ本体部３１２Ａは開口３１９から突出しなくなる。
【００４３】
当然、コイン等をロック部材３１４から外すことにより、弾性体３１３の弾性力によって、ラッチ部材３１２は、ラッチ本体部３１２Ａが開口３１９から突出するように移動する。
【００４４】
このように構成された固定側着脱部３１０は、図示しないビスによって固定側手摺り１００の端部に取り付けられる。そして、この固定側手摺り１００は、壁面に設けられた開口部を挟み込むようにして、すなわち開口部の開閉の邪魔にならない部分に図示しない適宜なブラケット等によって取り付けられる。
【００４５】
一方、このような固定側着脱部３１０とともに着脱機構３００を構成する前記取外側着脱部３２０は、図１２や図１３等に示すように、両手摺り１００、２００と同様に、略逆三角形状になった取外側本体３２１を有している。この取外側本体３２１の下端からは、取外側手摺り２００を受ける手摺り支持部３２３が設けられている。
【００４６】
取外側本体３２１が前記固定側着脱部３１０に向かい合う側には、前記ラッチ部材３１２のラッチ本体部３１２Ａが挿入される凹部３２２が開設されている。
【００４７】
また、前記手摺り支持部３２３は、取外側手摺り２００を支持する部分であって、中央に取外側手摺り２００の位置決めのための凸脈３２３Ａが突設されている。また、この凸脈３２３Ａの両側には、取外側着脱部３２０を取外側手摺り２００に取り付けるビスのためのビス孔３２３Ｂが開設されている。
【００４８】
このように構成された取外側着脱部３２０は、図示しないビスによって取外側手摺り２００の両端部に取り付けられる。
【００４９】
このように構成された着脱自在手摺りの着脱は以下のようにして行われる。
まず、取外側手摺り２００を取り付ける場合には、取外側手摺り２００を上側から２つの固定側手摺り１００の間に押し込むように押し下げる。
すると、取外側手摺り２００の取外側本体３２１の一部が、突出しているラッチ本体部３１２Ａの傾斜面に当接し、取外側手摺り２００の押し下げに伴って、弾性体３１３の弾性力に抗してラッチ部材３１２を後退させる。このラッチ部材３１２の後退に伴って、ロック部材３１４は回転する。
【００５０】
取外側手摺り２００が、押し下げられて、固定側本体３１１の第２の手摺り支持部３１８に受けられると、ラッチ本体部３１２Ａは弾性体３１３の弾性力によって、取外側手摺り２００の取外側本体３２１の凹部３２２に自動的に挿入される。
【００５１】
これによって、取外側手摺り２００は、固定側手摺り１００に固定的に取り付けられたことになる。
【００５２】
なお、取外側手摺り２００が、固定側手摺り１００に固定的に取り付けられ、ラッチ部材３１２が弾性体３１３の弾性力によって凹部３２２に挿入されると、このラッチ部材３１２の後退に伴って、ロック部材３１４は１８０度回転する。
【００５３】
この状態からの取外側手摺り２００の取り外しは、以下のようにして行われる。
まず、コイン等で両側の固定側着脱部３１０のロック部材３１４を１８０度回転させる。すると、ラッチ部材３１２は、弾性体３１３の弾性力に抗して後退し、取外側手摺り２００の凹部３２２から離脱する。
【００５４】
この状態で、取外側手摺り２００を上側に持ち上げることによって、取外側手摺り２００を取り外すのである。
【００５５】
前記ロック部材３１４の回転は、ロック部材３１４の操作部３１４Ｂが下側に位置しているため、ある程度の慣れが要求される。このため、取外側手摺り２００の取外作業は、健常者には容易であるが、高齢者や身体障害者等には困難なものとなる。
【図面の簡単な説明】
【００５６】
【図１】本発明の実施の形態に係る着脱自在手摺りの要部の概略的断面図である。
【図２】本発明の実施の形態に係る着脱自在手摺りの要部の概略的断面図である。
【図３】本発明の実施の形態に係る着脱自在手摺りを構成する固定側着脱部の固定側本体の概略的斜視図である。
【図４】本発明の実施の形態に係る着脱自在手摺りを構成する取外側着脱部の取外側本体の概略的斜視図である。
【図５】本発明の実施の形態に係る着脱自在手摺りを構成する固定側着脱部の固定側本体の図面であって、同図（Ａ）は概略的側面図、同図（Ｂ）は概略的左側面図、同図（Ｃ）は概略的右側面図、同図（Ｄ）は概略的平面図、同図（Ｅ）は概略的底面図、同図（Ｆ）は概略的断面図である。
【図６】本発明の実施の形態に係る着脱自在手摺りを構成する固定側着脱部のラッチ部材の図面であって、同図（Ａ）は概略的側面図、同図（Ｂ）は概略的左側面図、同図（Ｃ）は概略的右側面図、同図（Ｄ）は概略的平面図、同図（Ｅ）は概略的底面図、同図（Ｆ）は概略的断面図である。
【図７】本発明の実施の形態に係る着脱自在手摺りを構成する固定側着脱部のラッチ部材の図面であって、同図（Ａ）は概略的上面側斜視図、同図（Ｂ）は概略的下面側斜視部である。
【図８】本発明の実施の形態に係る着脱自在手摺りを構成する固定側着脱部のロック部材の図面であって、同図（Ａ）は概略的正面図、同図（Ｂ）は概略的平面図、同図（Ｃ）は概略的底面図である。
【図９】本発明の実施の形態に係る着脱自在手摺りを構成する固定側着脱部のロック部材の図面であって、同図（Ａ）は概略的上面側斜視図、同図（Ｂ）は概略的下面側斜視部である。
【図１０】本発明の実施の形態に係る着脱自在手摺りを構成する固定側着脱部のカバーの図面であって、同図（Ａ）は概略的正面図、同図（Ｂ）は概略的左側面図、同図（Ｃ）は概略的右側面図、同図（Ｄ）は概略的平面図、同図（Ｅ）は概略的断面図、同図（Ｆ）は概略的斜視図である。
【図１１】本発明の実施の形態に係る着脱自在手摺りを構成する取外側着脱部の取外側本体の図面であって、同図（Ａ）は概略的側面図、同図（Ｂ）は概略的左側面図、同図（Ｃ）は概略的右側面図、同図（Ｄ）は概略的平面図、同図（Ｅ）は概略的底面図、同図（Ｆ）は概略的断面図である。
【図１２】本発明の実施の形態に係る着脱自在手摺りの図面であって、取外側手摺りが固定側手摺りに取り付けられている状態の概略的斜視図である。
【図１３】本発明の実施の形態に係る着脱自在手摺りの図面であって、取外側手摺りが固定側手摺りから取り外された状態の概略的斜視図である。
【符号の説明】
【００５７】
１００    固定側手摺り
２００    取外側手摺り
３００    着脱機構
３１０    固定側着脱部
３１１    固定側本体
３１１Ａ  固定側基体部
３１２    ラッチ部材
３１３    弾性体
３１４    ロック部材
３１５    カバー
３１６    貫通孔
３２０    取外側着脱部
３２１    取外側本体
【図１】
2008255693.tif 000003
【図２】
2008255693.tif 000004
【図３】
2008255693.tif 000005
【図４】
2008255693.tif 000006
【図５】
2008255693.tif 000007
【図６】
2008255693.tif 000008
【図７】
2008255693.tif 000009
【図８】
2008255693.tif 000010
【図９】
2008255693.tif 000011
【図１０】
2008255693.tif 000012
【図１１】
2008255693.tif 000013
【図１２】
2008255693.tif 000014
【図１３】
2008255693.tif 000015